(57)【要約】【課題】相手端子との接続信頼性に優れると共に、端子のインピーダンスを上昇させることができるコネクタを得る。【解決手段】ハウジング１２は、幅狭部２２Ａと空間部Ｓとを有している。幅狭部２２Ａは、端子１４の湾曲部１４Ａにおける幅方向の変位を規制可能とする側部収容面２２ＡＡが設けられている。したがって、コネクタ１０と接続対象物との嵌合時において端子１４が端子１４の幅方向に変位するのを抑制できるので、接続対象物と端子１４とを確実に接触をさせることができる。空間部Ｓは、端子１４における湾曲部１４Ａ以外の少なくとも一部との間に空間を形成していることから、空間部Ｓには空気層が設けられる。空気層は、ハウジング１２と比べて誘電率が低いため、この空気層により端子１４のインピーダンスを上昇させることができる。これにより、相手端子との接続信頼性に優れると共に、端子１４のインピーダンスを上昇させることができる。【選択図】図２
2020170661.tif 000002
【特許請求の範囲】
【請求項１】
接続対象物と電気的に接触する接触部を有している端子と、
前記接続対象物と嵌合方向に沿って嵌合しかつ絶縁性を有すると共に、前記端子の接触部近傍の部位における前記接続対象物が前記接触部と当接する当接方向及び前記嵌合方向と直交する方向の変位を規制可能とする規制面が設けられた幅狭部と、前記端子における前記接触部近傍の部位以外の少なくとも一部との間に空間を形成している空間部とを有しているハウジングと、
を有するコネクタ。
【請求項２】
前記空間部の少なくとも一部を構成する壁部は、前記幅狭部の規制面と連続的に設けられている、
請求項１記載のコネクタ。
【請求項３】
前記端子における接触部は、前記当接方向にて前記幅狭部から突出されており、
前記規制面は、前記端子の前記接触部近傍の部位における前記嵌合方向にて前記接触部を挟んで対向した一対の部位の前記当接方向及び前記嵌合方向と直交する方向の変位をそれぞれ規制可能とする、
請求項１又は請求項２記載のコネクタ。
【請求項４】
前記規制面は、前記端子の前記接触部近傍かつ前記接続対象物側の部位における前記当接方向及び前記嵌合方向と直交する方向の変位を規制可能とする、
請求項１〜請求項３のいずれか一項に記載のコネクタ。
【発明の詳細な説明】
【技術分野】
【０００１】
本発明は、コネクタに関する。
【背景技術】
【０００２】
下記特許文献には、コネクタに関する発明が開示されている。このコネクタは、接続対象物と電気的に接触する接触部を有している端子と、絶縁性を有しかつ内部に端子の接触部を収容する端子溝が形成されたハウジングと、を有している。これにより、端子の幅方向の変位を抑制して接続対象物と端子とを確実に接触させることができる。
【先行技術文献】
【特許文献】
【０００３】
【特許文献１】特開２０１４−２２５４６９号公報
【発明の概要】
【発明が解決しようとする課題】
【０００４】
しかしながら、上記特許文献に開示された構成では、端子の幅方向にて端子の接触部が端子溝に隙間なく配置されている。このため、端子溝内にて端子の接触部のインピーダンスが低下する可能性がある。したがって、上記先行技術はこの点で改良の余地がある。
【０００５】
本発明は上記事実を考慮し、相手端子との接続信頼性に優れると共に、端子のインピーダンスを上昇させることができるコネクタを得ることを目的とする。
【課題を解決するための手段】
【０００６】
第１の態様に係るコネクタは、接続対象物と電気的に接触する接触部を有している端子と、前記接続対象物と嵌合方向に沿って嵌合しかつ絶縁性を有すると共に、前記端子の接触部近傍の部位における前記接続対象物が前記接触部と当接する当接方向及び前記嵌合方向と直交する方向の変位を規制可能とする規制面が設けられた幅狭部と、前記端子における前記接触部近傍の部位以外の少なくとも一部との間に空間を形成している空間部とを有しているハウジングと、を有している。
【０００７】
上記第１の態様では、コネクタは、端子とハウジングとを有している。端子は、接続対象物と電気的に接触する接触部を有している。ハウジングは、接続対象物と嵌合方向に沿って嵌合しかつ絶縁性を有すると共に、幅狭部と空間部とを有している。幅狭部は、端子の接触部近傍の部位における接続対象物が接触部と当接する当接方向及び嵌合方向と直交する方向（以下、単に「幅方向」と称する。）の変位を規制可能とする規制面が設けられている。したがって、コネクタと接続対象物との嵌合時において端子が端子の幅方向に変位するのを抑制できるので、接続対象物と端子とを確実に接触をさせることができる。
【０００８】
一方、空間部は、端子における接触部近傍の部位以外の少なくとも一部との間に空間を形成していることから、空間部におけるハウジングと端子との間には空気層が設けられる。空気層は、ハウジングと比べて誘電率が低いため、この空気層により端子のインピーダンスを上昇させることができる。
【０００９】
第２の態様に係るコネクタは、第１の態様において、前記空間部の少なくとも一部を構成する壁部は、前記幅狭部の規制面と連続的に設けられている。
【００１０】
上記第２の態様では、空間部の少なくとも一部を構成する壁部が幅狭部の規制面と連続的に設けられていることから、端子に対向する壁部が端子に沿ってハウジングに形成される。つまり、荷重を効率的に伝達させることができる稜線がハウジングに連続的に形成されることから、ハウジング自体の剛性を向上させることができる。
【００１１】
第３の態様に係るコネクタは、第１または第２の態様において、前記端子における接触部は、前記当接方向にて前記幅狭部から突出されており、前記規制面は、前記端子の前記接触部近傍の部位における前記嵌合方向にて前記接触部を挟んで対向した一対の部位の前記当接方向及び前記嵌合方向と直交する方向の変位をそれぞれ規制可能とする。
【００１２】
上記第３の態様では、規制面は、端子の接触部近傍の部位における嵌合方向にて接触部を挟んで対向した一対の部位の幅方向の変位をそれぞれ規制可能とすることから、幅狭部から突出されていることで接続対象物と接触して荷重を受ける接触部を規制面惹いては幅狭部が確実に支持することができる。すなわち、端子の接触部近傍の部位における嵌合方向にて接触部に対してどちらか一方側のみ支持する構成と比べて、荷重が集中して損傷するのを抑制できると共に、端子における幅狭部に当接された部位を中心に端子が傾くのを抑制することができる。
【００１３】
第４の態様に係るコネクタは、第１〜第３のいずれか一つの態様において、前記規制面は、前記端子の前記接触部近傍かつ前記接続対象物側の部位における前記当接方向及び前記嵌合方向と直交する方向の変位を規制可能とする。
【００１４】
上記第４の態様では、規制面は、端子の接触部近傍かつ接続対象物側の部位における幅方向の変位を規制可能とすることから、接続対象物から荷重を直接的に受ける端子の接触部に近い部位が幅狭部により支持される。したがって、端子の変位をより確実に抑制することができる。
【発明の効果】
【００１５】
以上説明したように、本発明は、相手端子との接続信頼性に優れると共に、端子のインピーダンスを上昇させることができるという優れた効果を有する。
【図面の簡単な説明】
【００１６】
【図１】第１実施形態に係るコネクタの斜視図である。
【図２】図１におけるＡ−Ａ線に沿って切断した状態を示す断面図である。
【図３】図２におけるＷ方向にて嵌合部を見た場合の拡大図である。
【図４】図３におけるＢ−Ｂ線に沿って切断した状態を斜め前方側から見た状態を示す斜視図である。
【図５】図４におけるＶ部を拡大して示す拡大図である。
【図６】対比例に係るコネクタにおける端子の変形状態を示す図３に対応した拡大図である。
【図７】第２実施形態に係るコネクタの斜視図である。
【図８】第２実施形態に係るコネクタの嵌合部を上下方向にて示す平面図である。
【発明を実施するための形態】
【００１７】
（第１実施形態）
図１〜図６を用いて、本発明の第１実施形態について説明する。
【００１８】
なお、以下の説明では、各図に示す矢印Ｘをコネクタ前方向、矢印Ｙをコネクタ幅方向一方側（右側）、矢印Ｚをコネクタ上方向として説明する。また、特記なく前後、上下、幅（左右）という語を用いる場合は、コネクタ前後方向の前後、コネクタ上下方向の上下、コネクタ幅方向（左右方向）の幅（左右）を示すものとする。これらの方向は、コネクタの使用状態での方向とは無関係である。また、各図においては、図面を見易くする意図で、一部の符号を省略している場合がある。
【００１９】
（全体構成）
図１に示されるように、本実施形態に係るコネクタ１０は、所謂ソケットとされており、ハウジング１２と複数の端子１４（図２参照）を含んで構成されかつ下側が図示しない回路基板に固定されている。そして、コネクタ１０は、接続対象物としての図示しないプラグにＺ方向にて嵌合可能とされている。本実施形態において、嵌合方向Ｚは、コネクタ１０の上下方向と一致しており、以下の説明では、嵌合方向Ｚを「上下方向」と称する場合がある。
【００２０】
（ハウジング）
ハウジング１２は、略矩形筒状（略直方体状）に形成されている。このハウジング１２は、例えば合成樹脂等の絶縁性材料によって製造されたものである。なお、ハウジング１２における左右方向の寸法は、端子１４の数によって適宜変更される構成とされている。
【００２１】
ハウジング１２の内部には、嵌合部１６が設けられている。嵌合部１６は、ハウジング１２における左右方向及び前後方向それぞれの略中央に設けられていると共に、ハウジング１２の内部から上方へ向けて突出されている。嵌合部１６は、上下方向を長手方向としかつ上方側へ開口された嵌合孔１８を有する有底角筒状に形成されており、前後方向にて対向した一対の側壁部２０には、それぞれ複数の端子溝２２が左右方向に等間隔に並んで形成されている。各端子溝２２は、上下方向に延びていると共に、上方側部を構成する幅狭部２２Ａと、幅狭部２２Ａより下方側部を構成する一般部２２Ｂとを有している。
【００２２】
（幅狭部）
図３に示されるように、幅狭部２２Ａは、長手方向に直交する断面形状が規制面としての左右一対の側部収容面２２ＡＡと、左右一対の側部収容面２２ＡＡの前後方向外側端部を左右方向に繋げる底部収容面２２ＡＢとで前後方向内側へ向けて開口された形状とされている。一方の側部収容面２２ＡＡから他方の側部収容面２２ＡＡまでの寸法は、端子１４の幅寸法と略同一とされている。
【００２３】
（一般部）
一般部２２Ｂは、幅狭部２２Ａと同様に、長手方向に直交する断面形状が左右一対の側部収容面２２ＢＡと、左右一対の側部収容面２２ＢＡの前後方向外側端部を左右方向に繋げる幅狭部２２Ａと連続した底部収容面２２ＡＢとで前後方向内側へ向けて開口された形状とされている。一方の側部収容面２２ＢＡから他方の側部収容面２２ＢＡまでの寸法は、端子１４の幅寸法よりも大きく設定されている。したがって、左右一対の側部収容面２２ＢＡと端子１４との間には、空間部Ｓが形成されている。換言すると、左右一対の側部収容面２２ＢＡは、請求項２に記載の「空間部の少なくとも一部を構成する壁部」に相当する。なお、一般部２２Ｂの側部収容面２２ＢＡと、幅狭部２２Ａの側部収容面２２ＡＡとは、下方側へ向かうに連れて左右方向外側へ向けて傾斜された傾斜壁部２２ＢＢにより連結されている。つまり、側部収容面２２ＢＡと側部収容面２２ＡＡとは連続的に設けられており、幅狭部２２Ａと一般部２２Ｂとは、連続した溝として形成されている。これにより、ハウジング１２の上下方向に連続した稜線Ｒが複数設けられている。
【００２４】
一般部２２Ｂの下端は、嵌合孔１８の底壁１８Ａ(図２参照)に上下方向にて貫通して形成された端子挿入孔２８（図２参照）に連結されている。
【００２５】
図１に示されるように、嵌合部１６の左右方向及び前後方向それぞれの外側には、延設壁部３０が嵌合部１６と離間して設けられている。延設壁部３０は、矩形枠状に形成されかつ嵌合部１６の底部に左右方向にて連結されている（不図示）と共に、嵌合部１６の下方側に対応した位置にて上下方向に延設されている。これにより、延設壁部３０と嵌合部１６との間には、間隙３２が形成されている。
【００２６】
（端子）
図４に示されるように、複数の端子１４は、導電性を有する金属板が所定の形状に打ち抜ぬかれて製造されたものであり、前後一対の端子列８０、８２を構成している。前後の端子列８０、８２は、それぞれ端子１４の厚さ方向が前後方向に沿う向きにて複数の端子１４が左右方向に等間隔に並べられた構成とされている。前側の端子列８０が有する複数の端子１４と、後側の端子列８２が有する複数の端子１４とは、同一の形状に形成されているが、互いに前後方向にて対向する向きの姿勢で配置されている。前側の端子列８０が有する複数の端子１４は、嵌合孔１８の前の側壁部２０に設けられており、後側の端子列８２が有する複数の端子１４は、嵌合孔１８の後側の側壁部２０に設けられている。
【００２７】
各端子１４は、嵌合部１６の端子溝２２に収容され、図２に示されるように、端子溝２２の幅狭部２２Ａに位置する端子１４における接触部近傍の部位としての湾曲部１４Ａと、湾曲部１４Ａから下方へ延出され端子挿入孔２８内に一部が挿入された支持部１４Ｂと、支持部１４Ｂにおける湾曲部１４Ａとは反対側の端部から前後方向に延出されて回路基板に固定される接続部１４Ｃ（図１参照）と、を有している。なお、図１〜図３では、端子溝２２の内部をわかり易くするため、端子１４を一部省略して図示している。
【００２８】
図５に示されるように、湾曲部１４Ａは、端子１４における上方側部を構成しており、前後方向内側へ向けて凸なるように屈曲されている。この湾曲部１４Ａにおける前後方向内側の頂点部は、幅狭部２２Ａ（端子溝２２）から突出されており、プラグに設けられた図示しない相手側端子と電気的に接触される接触部１４Ｄとされている。したがって、端子１４の湾曲部１４Ａは、嵌合方向（上下方向）にて接触部１４Ｄを挟んで対向した部位が幅狭部２２Ａの左右一対の側部収容面２２ＡＡに当接されて幅方向の変位が規制可能とされている。また、幅狭部２２Ａは、端子１４の湾曲部１４Ａにおける前後方向にてプラグ側の部位を含んで当接されている。
【００２９】
（第１実施形態の作用効果）
次に、本実施形態の作用効果について説明する。
【００３０】
本実施形態では、コネクタ１０は、端子１４とハウジング１２とを有している。端子１４は、接続対象物と電気的に接触する接触部１４Ｄを有している。ハウジング１２は、接続対象物と嵌合方向に沿って嵌合しかつ絶縁性を有すると共に、幅狭部２２Ａと空間部Ｓとを有している。幅狭部２２Ａは、端子１４の湾曲部１４Ａにおける幅方向の変位を規制可能とする側部収容面２２ＡＡが設けられている。したがって、コネクタ１０と接続対象物との嵌合時において端子１４が端子１４の幅方向に変位するのを抑制できるので、接続対象物と端子１４とを確実に接触をさせることができる。
【００３１】
一方、空間部Ｓは、端子１４における湾曲部１４Ａ以外の少なくとも一部との間に空間を形成していることから、空間部Ｓにおけるハウジング１２と端子１４との間には空気層が設けられる。空気層は、ハウジング１２と比べて誘電率が低いため、この空気層により端子１４のインピーダンスを上昇させることができる。これにより、相手端子との接続信頼性に優れると共に、端子１４のインピーダンスを上昇させることができる。
【００３２】
また、空間部Ｓの少なくとも一部を構成する側部収容面２２ＢＡが幅狭部２２Ａの側部収容面２２ＡＡと連続的に設けられていることから、端子１４に対向する壁部が端子に沿ってハウジングに形成される。つまり、荷重を効率的に伝達させることができる稜線Ｒ（図３参照）がハウジング１２に連続的に形成されることから、ハウジング１２自体の剛性を向上させることができる。
【００３３】
さらに、側部収容面２２ＡＡは、端子１４の湾曲部１４Ａにおける嵌合方向にて接触部１４Ｄを挟んで対向した一対の部位の幅方向の変位をそれぞれ規制可能とすることから、端子溝２２から突出されていることでプラグと接触して荷重を受ける接触部１４Ｄを側部収容面２２ＡＡ惹いては幅狭部２２Ａが確実に支持することができる。すなわち、端子１４の湾曲部１４Ａにおける嵌合方向にて接触部１４Ｄに対してどちらか一方側のみ支持する構成では、図６に示されるように、幅狭部２２Ａに支持された部位を中心として端子１４が左右方向に変位する可能性がある（図中二点鎖線参照）。これに対し、本実施形態では、荷重が端子１４の一部に集中して損傷するのを抑制できると共に、端子１４における幅狭部２２Ａに当接された部位を中心に端子が傾くのを抑制することができる。
【００３４】
さらにまた、側部収容面２２ＡＡは、端子１４の湾曲部１４Ａかつ接続対象物側の部位における幅方向の変位を規制可能とすることから、プラグから荷重を直接的に受ける端子１４の接触部１４Ｄに近い部位が幅狭部２２Ａにより支持される。したがって、端子１４の変位をより確実に抑制することができる。
【００３５】
（第２実施形態）
次に、図７、図８を用いて、本発明の第２実施形態に係るコネクタについて説明する。なお、前述した第１実施形態等と同一構成部分については、同一番号を付してその説明を省略する。
【００３６】
この第２実施形態に係るコネクタ６０は、基本的な構成は第１実施形態と同様とされ、プラグとされている点に特徴がある。
【００３７】
（全体構成）
すなわち、図７に示されるように、本実施形態に係るコネクタ６０は、所謂プラグとされており、ハウジング６２と複数の端子６４を含んで構成されかつ下側が図示しない回路基板に固定されている。そして、コネクタ６０は、接続対象物としての図示しないソケットにＸ方向にて嵌合可能とされている。本実施形態において、嵌合方向Ｘは、コネクタ６０の前後方向と一致しており、以下の説明では、嵌合方向Ｘを「前後方向」と称する場合がある。
【００３８】
（ハウジング）
ハウジング６２は、略矩形筒状（略直方体状）に形成されている。このハウジング６２は、例えば合成樹脂等の絶縁性材料によって製造されたものである。なお、ハウジング６２における左右方向の寸法は、端子６４の数によって適宜変更される構成とされている。
【００３９】
ハウジング６２の内部には、嵌合部６６が設けられている。嵌合部６６は、ハウジング６２における底壁６８の左右方向及び上下方向それぞれの略中央に設けられていると共に、底壁６８から前方へ向けて突出されている。嵌合部６６は、左右方向を長手方向とする略直方体状に形成されており、上下方向における一対の側壁部７０には、それぞれ複数の端子溝７２（図８参照）が左右方向に等間隔に並んで形成されている。各端子溝７２は、前後方向に延びていると共に、前方側部を構成する幅狭部７２Ａと、幅狭部７２Ａより後方側部を構成する一般部７２Ｂとを有している。
【００４０】
（幅狭部）
図８に示されるように、幅狭部７２Ａは、長手方向に直交する断面形状が規制面としての左右一対の側部収容面７２ＡＡと、左右一対の側部収容面７２ＡＡの上下方向内側端部を左右方向に繋げる底部収容面７２ＡＢとで上下方向外側へ向けて開口された形状とされている。一方の側部収容面７２ＡＡから他方の側部収容面７２ＡＡまでの寸法は、端子６４の幅寸法と略同一とされている。
【００４１】
（一般部）
一般部７２Ｂは、幅狭部７２Ａと同様に、長手方向に直交する断面形状が左右一対の側部収容面７２ＢＡと、左右一対の側部収容面７２ＢＡの上下方向内側端部を左右方向に繋げる幅狭部７２Ａと連続した底部収容面７２ＡＢとで上下方向外側へ向けて開口された形状とされている。一方の側部収容面７２ＢＡから他方の側部収容面７２ＢＡまでの寸法は、端子６４の幅寸法よりも大きく設定されている。したがって、左右一対の側部収容面７２ＢＡと端子６４との間には、空間部Ｓが形成されている。換言すると、左右一対の側部収容面７２ＢＡは、請求項２に記載の「空間部の少なくとも一部を構成する壁部」に相当する。なお、一般部７２Ｂの側部収容面７２ＢＡと、幅狭部７２Ａの側部収容面７２ＡＡとは、後方側へ向かうに連れて左右方向外側へ向けて傾斜された傾斜壁部７２ＢＢにより連結されている。つまり、側部収容面７２ＢＡと側部収容面７２ＡＡとは連続的に設けられており、幅狭部７２Ａと一般部７２Ｂとは、連続した溝として形成されている。これにより、ハウジング６２の前後方向に連続した稜線Ｒ（図８参照）が複数設けられている。
【００４２】
一般部７２Ｂの後端は、底壁６８（図７参照）に前後方向にて貫通して形成された端子挿入孔６８Ａに連結されている。
【００４３】
図７に示されるように、嵌合部６６の左右方向及び上下方向それぞれの外側には、延設壁部７８が一体的に設けられている。延設壁部７８は、ハウジング６２における底壁６８の左右方向及び上下方向のそれぞれの外側端部から前方へ向けて突出されている。延設壁部７８の底壁６８に対する突出量は、嵌合部６６の底壁６８に対する突出量よりも大きくされている。これによって、ハウジング６２は、内部に嵌合部６６を収めた略角筒状に形成されている。
【００４４】
（端子）
複数の端子６４は、導電性を有する金属板が所定の形状に打ち抜ぬかれて製造されたものであり、上下一対の端子列８０、８２を構成している。上下の端子列８０、８２は、それぞれ端子６４の厚さ方向が上下方向に沿う向きにて複数の端子６４が左右方向に等間隔に並べられた構成とされている。上側の端子列８０が有する複数の端子６４と、下側の端子列８２が有する複数の端子６４とは、同一の形状に形成されているが、互いに上下方向にて対向する向きの姿勢で配置されている。上側の端子列８０が有する複数の端子６４は、嵌合部６６の上の側壁部７０に設けられており、下側の端子列８２が有する複数の端子６４は、嵌合部６６の下側の側壁部７０に設けられている。
【００４５】
各端子６４は、嵌合部６６の端子溝７２に収容され、図７に示されるように、嵌合部６６と延設壁部７８との間に位置する端子６４における接触部近傍の部位としての先端部６４Ａと、先端部６４Ａから後方へ延出され端子挿入孔６８Ａ内に一部が挿入された支持部６４Ｂと、支持部６４Ｂにおける先端部６４Ａとは反対側の端部から下側へ延出されて回路基板に固定される接続部６４Ｃ（図７参照）と、を有している。なお、図８では、端子溝７２の内部をわかり易くするため、複数の端子６４のうち一部の端子６４を省略して図示している。
【００４６】
先端部６４Ａは、上下方向外側面が外部に露出されており、ソケットに設けられた図示しない相手側端子と電気的に接触される接触部６４Ｄが設けられている。なお、相手側端子からは、上下方向を当接方向として当接される。
【００４７】
端子溝７２の上下方向の深さは、端子６４の上下方向の寸法よりも若干小さく設定されており、これによって端子６４が端子溝７２に収容される際は、端子６４の接触部６４Ｄが嵌合部６６の側壁部７０より上下方向外側に突出されている。
【００４８】
端子６４の前端部６４Ｅは、ガイド形状部６４Ｆを有している。このガイド形状部６４Ｆは、接触部６４Ｄの前縁から前側へ向かうに連れて端子溝７２の底部収容面７２ＡＢ側へ傾けられた傾斜壁面６４ＦＡを有しており、これによってソケットがコネクタ６０に嵌合される際に相手側端子を円滑に接触部６４Ｄへと移動させることができる。
【００４９】
（第２実施形態の作用・効果）
次に、第２実施形態の作用並びに効果を説明する。
【００５０】
上記構成によっても、プラグとされている点以外は第１実施形態のコネクタ１０と同様に構成されているので、第１実施形態と同様の効果が得られる。
【００５１】
なお、上述した第１、２実施形態では、端子溝２２、７２に一般部２２Ｂ、７２Ｂが設けられている構成とされているが、これに限らず、一般部２２Ｂ、７２Ｂが設けられておらず幅狭部２２Ａ、７２Ａのみ設けられ、端子１４、６４同士が空間部Ｓを介して隣接する構成としてもよい。
【００５２】
また、端子溝２２、７２における幅狭部２２Ａ、７２Ａと一般部２２Ｂ、７２Ｂとは、それぞれ端子１４、６４の幅方向の寸法が異なる構成とされているが、これに限らず、幅狭部２２Ａ、７２Ａと一般部２２Ｂ、７２Ｂとの端子１４、６４の幅方向の寸法を略同一として端子１４、６４自体の幅の寸法を変化させる構成としてもよい。
【００５３】
以上、本発明の実施形態について説明したが、本発明は、上記に限定されるものでなく、その主旨を逸脱しない範囲内において上記以外にも種々変形して実施することが可能であることは勿論である。
【符号の説明】
【００５４】
１０   コネクタ
１２   ハウジング
１４   端子
１４Ａ 湾曲部（端子の接触部近傍の部位）
１４Ｄ 接触部
２２ＡＡ 側部収容面（規制面）
６０   コネクタ
６２   ハウジング
６４   端子
６４Ａ 先端部（端子の接触部近傍の部位）
６４Ｄ 接触部
７２ＡＡ 側部収容面
【図１】
2020170661.tif 000003
【図２】
2020170661.tif 000004
【図３】
2020170661.tif 000005
【図４】
2020170661.tif 000006
【図５】
2020170661.tif 000007
【図６】
2020170661.tif 000008
【図７】
2020170661.tif 000009
【図８】
2020170661.tif 000010